(57)【要約】【課題】保冷剤を収容する収容部を保冷シートの内面に設けた保冷台車では、保冷シートにより囲まれた内部空間が保冷剤で冷却される。すると、空気中の湿分が凝結して保冷剤収容部の内部で結露を生じ、水滴となって保冷台車の底面に落下して水溜りとなり、段ボール箱等の要保冷品を濡らして商品価値を損なってしまう課題があった。【解決手段】保冷剤収容部２６を通気性ポケット３２と防水シート３４とで構成すると共に、該防水シート３４の下方にフラップ状のシート舌片２８を形成した。そして、保冷剤収容部２６が取り付けられる保冷シート１８に開設した開口部３０を介して、シート舌片２８を保冷シート１８の外方へ延出させることにより、結露水を該シート舌片２８の表面を伝わらせて外部へ排出するようにした。【選択図】図８
2018052440.tif 000002
【特許請求の範囲】
【請求項１】
骨格になるフレームと、前記フレームに支えられて内部に保冷空間を画成する保冷シートと、前記保冷シートの内面に配設されて保冷剤を収容する保冷剤収容部とからなる保冷台車において、
前記保冷剤収容部は、前記保冷剤を収納する通気性ポケットと、前記通気性ポケットの下方背面に接合した防水シートと、前記防水シートの一部をなし、該通気性ポケットの下端縁から下方へ延在するシート舌片とからなり、
前記保冷剤収容部が配設される前記保冷シートには、該保冷剤収容部を取り付けた際に前記シート舌片を該保冷シートの外側へ延出させる横長の開口部が開設されている
ことを特徴とする保冷台車。
【請求項２】
前記通気性ポケットは前記保冷剤の冷気を外部へ通過させる通気性部材を材質とし、前記防水シートは水分の吸収や透過を阻止する樹脂部材を材質とする請求項１記載の保冷台車。
【請求項３】
前記保冷剤収容部が配設される前記保冷シートは上部分割半体と下部分割半体とからなり、該上部分割半体の下端縁と該下部分割半体の上端縁との切欠きに前記シート舌片を通過させ、該シート舌片の下方端を前記下部分割半体の外側に位置させた状態で両分割半体が縫合されている請求項１または２に記載の保冷台車。
【請求項４】
前記上部分割半体と前記下部分割半体とを縫合することで前記切欠きに前記シート舌片を通過させる横幅寸法の前記開口部が開設される請求項１〜３の何れか一項に記載の保冷台車。
【請求項５】
前記下部分割半体における内側の上端部には、前記上部分割半体に配設した前記保冷剤収容部の前記防水シートに近接して開口する水受けが設けられている請求項１〜４の何れか一項に記載の保冷台車。
【請求項６】
前記保冷シートは、正面、背面、左右側面、天面および底面の６面からなると共に、該保冷シートは前記フレームの内側に支持されている請求項１〜５の何れか一項に記載の保冷台車。
【発明の詳細な説明】
【技術分野】
【０００１】
この発明は、フレームに支持した保冷シートで内部に保冷空間を画成した保冷台車に関し、更に詳しくは、前記保冷空間を保冷する保冷剤の収容部を用いた場合に、該保冷収剤容部に結露した水滴を前記保冷シートの外側へ逃がすようにした保冷台車に関するものである。
【背景技術】
【０００２】
図１１に示すように、矩形状の台座１０にキャスター１２を取り付け、該台座１０の四隅に枠状のフレーム１４を立設した所謂フレーム台車１６が広く使用されている。このフレーム台車１６は、例えば倉庫、スーパーマーケット等の市場で段ボール箱その他の荷物を前記台座１０に積載し、作業者が前記フレーム１４を押して移動させるのに使用される。また、図１２に示すように、前記フレーム台車１６におけるフレーム１４の内側に保冷シート１８を位置させ、該保冷シート１８を例えばファスナーベルト２０により該フレーム１４に取り付けることで、内部に保冷空間Ｓを画成した所謂保冷台車２２が実用化されている。前記保冷シート１８は、正面、背面、左右の側面、天面および底面の６面からなり、図１２に示す正面の保冷シート１８は後ろへ捲り上げられて、前記保冷台車２２の全面を開放させて保冷空間Ｓを露出させている。
【０００３】
前記保冷台車２２は、保冷シート１８により６面を覆って前記保冷空間Ｓを画成しているが、この内部にチョコレートや乳製品等の要保冷品Ｂを積荷した際に、これら要保冷品Ｂを保冷状態に保つために保冷剤２４が保冷空間Ｓ中に収納される。前記保冷剤２４としては、ドライアイスやアイスパックが好適に使用されるが、砕き氷や角氷等の氷塊をビニール袋に入れたものであってもよい。そして、図１２に示すように、一例として保冷台車２２における左側面の保冷シート１８の内面中央に、所要メッシュの網体からなる保冷剤収容部２６が取り付けられ、この保冷剤収容部２６に前記保冷剤２４が収容されるようになっている。これにより、保冷剤収容部２６に収容した保冷剤２４からの冷気が、該保冷剤収容部２６のメッシュを介して保冷空間Ｓに伝わり、該保冷空間Ｓを保冷状態に保つため要保冷品Ｂが溶けたり中味が傷んだりすることがない。
【先行技術文献】
【特許文献】
【０００４】
【特許文献１】特開平１１−１３９３１７号公報
【発明の概要】
【発明が解決しようとする課題】
【０００５】
しかし、図１２の一部を拡大した図１３に示す保冷剤収容部２６は、所要メッシュの網体に不織布シートやナイロンシートを貼りつけて構成され、該保冷剤収容部２６は前記保冷シート１８の内面に着脱可能に取り付けられる。このため、保冷剤収容部２６に保冷剤２４を収容した場合、該保冷剤２４に接する前記不織布等のシートには空気中の湿分が凝縮した結露が水分として吸収される。ところで、この結露が大きくなって重みを増すと、水滴として該不織布シートおよび保冷シート１８を伝って流下し、保冷台車２２の底面に集まって水溜りを形成する(図１３参照)。このため、前記保冷剤収容部２６の不織布シートに吸収された水分や水溜りに、段ボール箱その他の要保冷品Ｂが接触すると濡れて商品価値を損なってしまう欠点がある。また、底面に溜った水の拭き取りが必要になる等の煩瑣な作業を必要とする。
【課題を解決するための手段】
【０００６】
前記課題を解決し、所期の目的を達成するため請求項１に記載の発明は、
骨格になるフレームと、前記フレームに支えられて内部に保冷空間を画成する保冷シートと、前記保冷シートの内面に配設されて保冷剤を収容する保冷剤収容部とからなる保冷台車において、
前記保冷剤収容部は、前記保冷剤を収納する通気性ポケットと、前記通気性ポケットの下方背面に接合した防水シートと、前記防水シートの一部をなし、該通気性ポケットの下端縁から下方へ延在するシート舌片とからなり、
前記保冷剤収容部が配設される前記保冷シートには、該保冷剤収容部を取り付けた際に前記シート舌片を該保冷シートの外側へ延出させる横長の開口部が開設されていることを要旨とする。
請求項１に係る発明によれば、保冷剤収容部に結露した水分は、該保冷剤収容部を構成する防水シートの一部をなすシート舌片を介して保冷シートの外方へ排出されるため、要保冷品を濡らすことがない。
【０００７】
請求項２に記載の発明では、前記通気性ポケットは前記保冷剤の冷気を外部へ通過させる通気性部材を材質とし、前記防水シートは水分の吸収や透過を阻止する樹脂部材を材質とすることを要旨とする。
【０００８】
請求項３に記載の発明では、前記保冷剤収容部が配設される前記保冷シートは上部分割半体と下部分割半体とからなり、該上部分割半体の下端縁と該下部分割半体の上端縁との切欠きに前記シート舌片を通過させ、該シート舌片の下方端を前記下部分割半体の外側に位置させた状態で両分割半体が縫合されていることを要旨とする。
請求項３に係る発明によれば、シート舌片を保冷シートの外部へ延出させるに際に、該保冷シートに設けた開口部を介して外方へ延出するため、シート舌片の表面を水分が円滑に流れて外部へ放出される。
【０００９】
請求項４に記載の発明では、前記上部分割半体と前記下部分割半体とを縫合することで前記切欠きに前記シート舌片を通過させる横幅寸法の前記開口部が開設されることを要旨とする。
【００１０】
請求項５に記載の発明では、前記下部分割半体における内側の上端部には、前記上部分割半体に配設した前記保冷剤収容部の前記防水シートに近接して開口する水受けが設けられていることを要旨とする。
請求項５に係る発明によれば、保冷シートの内部で、かつ保冷剤収容部に近接した部位で結露した水分は水受けで回収されるため保冷台車の側面および底面が濡れることがなく、従って底面に水溜りを生ずることがない。
【００１１】
請求項６に記載の発明では、前記保冷シートは、正面、背面、左右側面、天面および底面の６面からなると共に、該保冷シートは前記フレームの内側に支持されていることを要旨とする。
【発明の効果】
【００１２】
ドライアイスに代表される保冷剤の収容部を保冷シートの内面に設けた保冷台車において、保冷剤収容部を構成する通気性ポケットに接合した防水シートの一部であるシート舌片を、該保冷シートに開設した開口部を介して外側へ延在させたので、保冷剤収容部に結露した水分はこのシート舌片を伝わって外方へ放出される。従って、保冷剤収容部から結露水が滴下して底面に水溜りとなったり、結露した水滴に要保冷品が接触して商品価値を損なったりすることがない。また、保冷台車の底面に溜った水を拭き取る等の作業を減らすことができる。
【図面の簡単な説明】
【００１３】
【図１】本発明の実施例に係る保冷台車の斜視図である。
【図２】図１に示す保冷台車における左側の保冷シートの内部側面図である。
【図３】図１に示す保冷台車における左側の保冷シートの外部側面図である。
【図４】本発明の実施例で使用する保冷剤収容部の斜視図である。
【図５】図４に示す保冷剤収容部の説明図であって、(ａ)はネット状の通気性ポケットおよび該通気性ポケットに接合される防水シートの夫々を示す展開図である。(ｂ)は、通気性ポケットに防水シートを接合した状態で示す保冷剤収容部の展開図である。また(ｃ)は、(ｂ)に示す保冷剤収容部の裏面図である。
【図６】保冷剤収容部が配設される予定の保冷シートを、上部分割半体と下部分割半体とに分離した状態で示す斜視図である。
【図７】図６に示す上下の分割半体を縫合した際に保冷剤収容部のシート舌片が保冷シートの外側へ延出している状態を示す説明図で、(ａ)は両分割半体を縫合する前で、かつシート舌片を保冷シートの外側へ延出させた状態を示し、(ｂ)は両分割半体を縫合した状態を示している。
【図８】保冷シートに保冷剤収容部を取り付けると共に、シート舌片を保冷シートの外側へ延出させた状態を示す縦断面図である。
【図９】(ａ)および(ｂ)は、図７に示す実施例の変形例であって、２枚の分割半体を防水接着テープで間隔を空けた状態の下に接着することにより、開口部を形成したものである。
【図１０】(ａ)および(ｂ)は、図７に示す実施例の変形例であって、１枚ものの保冷シートに開口部を開設したものである。
【図１１】従来公知のフレーム台車の概略を示す斜視図である。
【図１２】図１１に示すフレーム台車におけるフレームの内側に保冷シートを設けた保冷台車の斜視図であって、正面の保冷シートを捲り上げて内部の保冷空間を露出させてある。
【図１３】図１２の一部拡大図であって、保冷剤収容部からの結露水が保冷シートを伝って流下し、底面に水溜りを生じた状態を示している。
【発明を実施するための形態】
【００１４】
次に、本発明に係る保冷台車の具体的な実施例を、添付図面を参照して説明する。なお、保冷台車の基本構造は図１１〜図１３で説明した通りであるから、同一部材については同じ符号を記して、その説明は省略する。
【００１５】
本発明の実施例に係る保冷台車２２では、図４および図５に示す構造をした保冷剤収容部２６が、図１〜図３に示す保冷シート１８に設けられている。そして、保冷剤収容部２６の一部をなすシート舌片２８は、保冷シート１８に開設した開口部３０を介して、該保冷シート１８の外方へ延在している。すなわち、実施例で使用する保冷剤収容部２６は、前記保冷剤２４を内部に収容可能な容量の通気性ポケット３２と、該通気性ポケット３２の下方背面(前記保冷シート１８の内面に取り付けられる側)に接合した防水シート３４と、該防水シート３４の一部をなし、前記通気性ポケット３２の下端縁から下方へ延在する前記シート舌片２８とからなる。この通気性ポケット３２は、前記保冷剤２４(例えばドライアイスやアイスパック)からの冷気を外部へ抵抗なく通過させるだけの開口寸法に設定した多数の通気孔や網目等を有する通気性部材を材質とし、図示例では所定メッシュの網体を使用している。また、前記防水シート３４は、水分の吸収や通過を阻止する樹脂部材を材質としている。例えば、前記防水シート３４は、アルミ箔やアルミ蒸着加工をしたシートその他の合成樹脂シートを外装材とし、これら外装材により発泡ポリエチレン、グラスウール、不織布等の断熱シートを両側から挟むことで積層体シートになっている。このため、前記防水シート３４の表面は結露し難い特長がある。
【００１６】
保冷剤収容部２６の基本構成を、図５(ａ)〜(ｃ)を参照して更に説明する。図５(ａ)において、符号３２は、ポケットになる前の通気性ポケット３２を展開状態で示し、図示形状に裁断されている。また符号３４は、前記通気性ポケット３２に接合される前の防水シート３４を同じく展開状態で示し、図示形状に裁断されると共に、該防水シート３４の下方にフラップ状の前記シート舌片２８が存在している。すなわち、防水シート３４とシート舌片２８とは、一体になった前述の積層体シートである。そして、前記通気性ポケット３２と防水シート３４とを、図５(ｂ)に示すように、部分的に重ね合わせて接合することで、図４の斜視図に示す保冷剤収容部２６が得られる。また図５(ｃ)に示すように、通気性ポケット３２と防水シート３４とを接合した前記保冷剤収容部２６の背面は網体(通気性ポケット３２)により覆われると共に、通気性ポケット３２の下端縁からは前記シート舌片２８が延出している。なお、通気性ポケット３２と防水シート３４との接合は、糸による縫合が考えられるが、両部材の材質によっては高周波ウェルダーによる融着としたり、粘着テープを使用した貼り合わせであっても良い。
【００１７】
図４および図５に示した保冷剤収容部２６は、図１および図２に示すように、保冷台車２２の右側面をなす保冷シート１８の内側中央部に取り付けられて、そのシート舌片２８を図３に示す保冷シート１８の開口部３０を介して外側へ延出させてある。そこで、前記シート舌片２８を保冷シート１８の外側へ延出させる構造について、図６〜図８を参照して説明する。図６は、図３に示す保冷シート１８の実施例であって、該保冷シート１８は略その中央部で上部分割半体３６と下部分割半体３８とに分割されている。また上部分割半体３６の下端縁３６ａの中央には、前記シート舌片２８の横幅寸法に略一致する横幅寸法を有する横長の切欠き４０が開設されており、図７(ｂ)で後述するように、上部分割半体３６の下端縁３６ａと下部分割半体３８の上端縁３８ａとを接合した際に、該切欠き４０が前記開口部３０を構成するようになっている。
【００１８】
すなわち、前記上部分割半体３６(の下端縁３６ａ)と下部分割半体３８(の上端縁３８ａ)とを突き合わせて接合するには、先ず図７(ａ)に示すように、前記保冷剤収容部２６を保冷シート１８の裏面(保冷空間Ｓになる側)に取り付ける。その際に、前記防水シート３４のシート舌片２８を、上部分割半体３６の下端縁３６ａに形成した前記切欠き４０に臨ませた状態で、保冷シート１８の外側へ引き出しておく。次いで、図７(ｂ)に示すように、上部分割半体３６と下部分割半体３８との両端縁３６ａ，３８ａを当接させた状態で、両半体３６，３８を接合することで、１枚の保冷シート１８とする。これにより、上部分割半体３６と下部分割半体３８との間には、前記開口部３０が構成されると共に、該開口部３０からシート舌片２８が外方へ延出していることになる。この場合、前記開口部３０の高さ寸法は、前記シート舌片２８の表面を伝わって来る水滴の流れを阻害しない程度の大きさで、かつ保冷空間Ｓから冷気が逃出することのない程度に設定されている。
【００１９】
なお、上部分割半体３６と下部分割半体３８とを接合するには防水性の接着テープで両分割半体３６，３８を貼り合わせてもよいし、また防水テープを重ね合わせて糸により縫合するようにしてもよい。更に、前記開口部３０は、図６に示した例では、上部分割半体３６の下端縁３６ａに切欠き４０を設けることで画成したが、逆に下部分割半体３８の上端縁３８ａに切欠き４０を設けることで開口部３０を画成(図示せず)するようにしてもよい。更に、積極的に切欠き４０を設けなくとも、図９に示すように、２つの防水接着テープ４４，４４を使用して、上部分割半体３６の下端縁３６ａと下部分割半体３８の上端縁３８ａとの間に所要の隙間が形成されるよう貼り合わせて、前記開口部３０を形成してもよい。
【００２０】
前述したシート舌片２８と開口部３０との関係を、図８の縦断面図に示す。すなわち、上部分割半体３６と下部分割半体３８との両端縁３６ａ，３８ａとを突き合わせて接合した際に、その接合部の中間には、先に述べたように前記シート舌片２８の横幅寸法に略等しい横幅寸法の前記開口部３０が開設されている。そして図８に示すように、前記保冷剤収容部２６における防水シート３４の下端縁に形成した前記シート舌片２８は、前記開口部３０を介して外方へ引き出され、下部分割半体３８の外側へフラップ状に延出している。しかも前記開口部３０の高さ(隙間)は、前述の如くシート舌片２８の表面を伝わる水滴や水分が該開口部３０に触れて流出が阻害されることのない寸法に設定してある。従って、前記保冷剤収容部２６に収容した保冷剤２４の冷気により空気中の湿分が近傍の防水シート３４や保冷シート１８の表面に凝縮して結露し水滴となって集まっても、図８に示すように、これら水滴は前記シート舌片２８を伝わって外方へ流出する。このため、保冷剤収容部２６で結露した水滴が保冷台車２２の側面に流下したり、また底面に落下して水溜りになることがなく、該保冷台車２２に積載した要保冷品Ｂを濡らして商品価値を損なうことがない。なお、保冷シート１８の外方へ延出する前記シート舌片２８は、該シート舌片２８の裏面を下部分割半体３８の外表面に両面テープ(図示せず)で接着するのが好ましい。
【００２１】
なお、図８に示すように、下部分割半体３８における内側の上端付近には、前記保冷剤収容部２６の防水シート３４に近接して開口する水受け４２が配設してある。この水受け４２は、保冷剤収容部２６の防水シート３４の表面に結露した際に(保冷空間Ｓの湿度が低くなり、また保冷空間Ｓ中の湿分が多い場合は、防水シート３４が断熱の積層構造になっていても結露することがある)、該防水シート３４を伝って滴下する水滴を図８に示すように回収するもので、これによって側面および底面が濡れることがなく、従って底面に水溜りが出来ることがない。
【００２２】
図１０は、図７に示す実施例の変形例を示すものである。すなわち図７の実施例では、保冷シート１８は上下に分割した両半体３６，３８を接合するものであったが、図１０は１枚ものの保冷シート１８を使用し、中央に前記開口部３０を開設したものである。ここで図１０(ａ)は、１枚ものの保冷シート１８に開口部３０を開設した状態を示し、図１０(ｂ)は前記開口部３０に前記シート舌片２８を通過させて下方へ延在させた状態を示している。
【００２３】
また、上部分割半体３６と下部分割半体３８とを接合する際に、防水性の接着テープを用いて(または用いないで)、両分割半体３６，３８とシート舌片２８の横幅寸法の一部とを重ね合わせ糸で縫合して横長の切欠き４０の一部を一体化し、また横長の開口部３０の横幅寸法を５ｃｍ〜１０ｃｍ程度(保冷シート１８の横幅の５％〜１５％)の幅狭とすることもできる。すなわち、前記開口部３０の横幅寸法は、前記シート舌片２８の表面を伝わって来る水滴の流れを阻害しない程度の大きさに設定するのが好ましい。これにより、保冷空間Ｓから冷気が逃出することを防止し得るという利点がある。
【符号の説明】
【００２４】
１４  フレーム，１８  保冷シート，２２  保冷台車，２４  保冷剤，
２６  保冷剤収容部，２８  シート舌片，３０  開口部，３２  通気性ポケット，
３４  防水シート，３６  上部分割半体，３６ａ  上部分割半体の下端縁，
３８  下部分割半体，３８ａ  下部分割半体の上端縁，４０  切欠き，４２  水受け，
Ｓ  保冷空間
【図１】
2018052440.tif 000003
【図２】
2018052440.tif 000004
【図３】
2018052440.tif 000005
【図４】
2018052440.tif 000006
【図５】
2018052440.tif 000007
【図６】
2018052440.tif 000008
【図７】
2018052440.tif 000009
【図８】
2018052440.tif 000010
【図９】
2018052440.tif 000011
【図１０】
2018052440.tif 000012
【図１１】
2018052440.tif 000013
【図１２】
2018052440.tif 000014
【図１３】
2018052440.tif 000015